(57)【要約】【課題】粒子を十分に駆動することができ、ドット不良等を防ぐ。【解決手段】少なくとも透光性を有する表示基板と、表示基板と間隙をもって対向する背面基板と、複数の走査電極とこれに直交するように対向配置された複数のデータ電極との間に画像に応じた電圧が印加されることにより、表示基板と背面基板との基板間に形成された電界に応じて移動するように当該基板間に封入された少なくとも一種類の粒子群と、走査電極とデータ電極との間に画像に応じた電圧を印加する電圧印加手段と、を備えた画像表示媒体を駆動する駆動装置であって、電圧印加手段は、各画素に所望の色を表示させるために画素毎に印加する表示駆動電圧として、少なくとも静止状態の粒子を移動開始させることが可能な第１のパルス幅の電圧を印加した後に、移動開始後の粒子を移動させることが可能な第１のパルス幅よりも短い第２のパルス幅の電圧を印加する。【選択図】図５
2007279320.tif 000002
【特許請求の範囲】
【請求項１】
少なくとも透光性を有する表示基板と、前記表示基板と間隙をもって対向する背面基板と、予め定めた所定方向に沿って並置された複数の第１の電極と前記第１の電極と対向して配置された第２の電極との間に画像に応じた電圧が印加されることにより、前記表示基板と前記背面基板との基板間に形成された電界に応じて移動するように当該基板間に封入された少なくとも一種類の粒子群と、前記第１の電極と前記第２の電極との電極間に画像に応じた電圧を印加する電圧印加手段と、を備えた画像表示媒体を駆動する駆動装置であって、
前記電圧印加手段は、各画素に所望の色を表示させるために画素毎に印加する表示駆動電圧として、静止状態の粒子を移動開始させることが可能な第１のパルス電圧を印加した後に、移動開始後の粒子を移動させることが可能な第２のパルス電圧を印加することを特徴とする画像表示媒体の駆動装置。
【請求項２】
前記第１のパルス電圧は、静止状態の粒子を移動開始させることが可能な第１のパルス幅の電圧であり、前記第２のパルス電圧は、移動開始後の粒子を移動させることが可能で且つ前記第１のパルス幅よりも短い第２のパルス幅の電圧であることを特徴とする請求項１記載の画像表示媒体の駆動装置。
【請求項３】
前記第１のパルス電圧は、静止状態の粒子を移動開始させることが可能な第１の電圧値の電圧であり、前記第２のパルス電圧は、移動開始後の粒子を移動させることが可能で且つ前記第１の電圧値よりも低い第２の電圧値の電圧であることを特徴とする請求項１記載の画像表示媒体の駆動装置。
【請求項４】
前記電圧印加手段は、前記複数のパルス電圧の最初に前記第１のパルス電圧を印加することを特徴とする請求項１乃至請求項３の何れか１項に記載の画像表示媒体の駆動装置。
【請求項５】
前記電圧印加手段は、前記第１のパルス電圧を交番電圧としたことを特徴とする請求項１乃至請求項４の何れか１項に記載の画像表示媒体の駆動装置。
【請求項６】
前記粒子群は、前記背面基板の色と異なることを特徴とする請求項１乃至請求項５の何れか１項に記載の画像表示媒体の駆動装置。
【請求項７】
前記粒子群は、色及び帯電特性が異なる複数種類の粒子群であることを特徴とする請求項１乃至６の何れか１項に記載の画像表示媒体の駆動装置。
【請求項８】
前記複数の第１の電極は、ライン状の複数の走査電極が並置された走査電極群であり、前記第２の電極は、前記走査電極に交差するライン状の複数のデータ電極が並置されたデータ電極群であることを特徴とする請求項１乃至請求項７の何れか１項に記載の画像表示媒体の駆動装置。
【発明の詳細な説明】
【技術分野】
【０００１】
本発明は、画像表示媒体の駆動装置に係り、より詳しくは、基板間に電圧を印加することにより着色粒子を移動させて画像表示する繰り返し書換えが可能な画像表示媒体の駆動装置に関する。
【背景技術】
【０００２】
従来、メモリー性を有し繰り返し書き換えが可能な画像表示媒体として、着色粒子を用いた画像表示媒体が知られている。このような画像表示媒体は、例えば一対の基板と、印加された電界により基板間を移動可能に基板間に封入されると共に、色及び帯電特性が異なる複数種類の粒子群と、を含んで構成される。また、基板間には、粒子が基板内の一部の領域に偏るのを防ぐため等の理由により、基板間を複数のセルに仕切るための間隙部材が設けられる。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワース力や鏡像力によって粒子は基板に付着したままとなり、画像表示は維持される。
【０００４】
印加電圧に対する粒子の応答性（移動性）は、電圧が印加された時間（パルス幅）や電圧値に依存する。また、基板上に付着している粒子と、基板から剥離して移動を開始した粒子とでは印加電圧に対する応答性が著しく異なる。
【０００５】
すなわち、静止状態（粒子が基板に付着静止している状態）の粒子を動かすのに必要な印加電圧の条件は、移動を開始した粒子を動かすために必要な印加電圧の条件とは異なる。静止状態の粒子を動かすためには、ある程度の電圧印加時間（パルス幅）が必要である。例えば粒子径がφ１５μｍの粒子では、静止状態の粒子を十分に動き出させるために数ｍｓｅｃ程度のパルス幅が必要であり、１ｍｓｅｃ以下（周波数が５００Ｈｚ以上）のパルス幅では粒子を動かすことができない場合があった。一方、表示濃度を高くするために複数のパルス電圧を印加することが有効であるが、数ｍｓｅｃのパルス数を増やすと、表示切り替え時間が著しく増大してしまうという問題があった。
【０００６】
ところで、特許文献１には、背面基板の色と粒子群の色とが異なる構成とし、粒子の色と背面基板の色とのコントラストで画像を表示する画像表示媒体が提案されている。
【０００７】
この画像表示媒体では、例えば粒子の色を表示させたい画素については、その位置の基板間に例えば直流電圧を印加することにより粒子を表示基板側へ移動させる。一方、背面基板の色を表示させたい画素については、その位置の基板間に交番電圧を印加することにより基板間で粒子を往復運動させながら他の画素の領域へ移動させ、背面基板を露出させる。背面基板の色を表示させる場合、粒子が基板間を往復運動しやすい最適な周波数で駆動することにより粒子の除去効果を高めて良好に表示することができる。
【０００８】
ここで、最適な周波数は粒子の比重や形状、粒度分布、基板間距離等によって変わるが、例えば、粒子径がφ１５μｍ程度の粒子では約５００Ｈｚ、粒子径がφ１０μｍ程度の粒子では約８００Ｈｚ、粒子径がφ７μｍ程度の粒子では約１ｋＨｚの周波数が適当であり、この条件のときに短時間で高い粒子除去率が得られる。
【特許文献１】特開２００４−８６０９５号公報
【発明の開示】
【発明が解決しようとする課題】
【０００９】
しかしながら、上記の最適な周波数は移動を開始している粒子に対するものであり、 基板上で静止状態の粒子に同様の条件で電圧を印加しても、粒子を良好に動かすことができずにドット状の表示不良が発生することがあった。
【００１０】
本発明は、上記事実に鑑みて成されたものであり、表示切り替え時間を大きく増加させることなく、粒子を十分に駆動することができ、ドット不良等を防ぐことができる画像表示媒体の駆動装置を提供することを目的とする。
【課題を解決するための手段】
【００１１】
上記課題を解決するため請求項１記載の発明は、少なくとも透光性を有する表示基板と、前記表示基板と間隙をもって対向する背面基板と、予め定めた所定方向に沿って並置された複数の第１の電極と前記第１の電極と対向して配置された第２の電極との間に画像に応じた電圧が印加されることにより、前記表示基板と前記背面基板との基板間に形成された電界に応じて移動するように当該基板間に封入された少なくとも一種類の粒子群と、前記第１の電極と前記第２の電極との電極間に画像に応じた電圧を印加する電圧印加手段と、を備えた画像表示媒体を駆動する駆動装置であって、前記電圧印加手段は、各画素に所望の色を表示させるために画素毎に印加する表示駆動電圧として、静止状態の粒子を移動開始させることが可能な第１のパルス電圧を印加した後に、移動開始後の粒子を移動させることが可能な第２のパルス電圧を印加することを特徴とする。
【００１２】
この発明によれば、画像表示媒体は、少なくとも透光性を有する表示基板と、表示基板と間隙をもって対向する背面基板と、の基板間に、少なくとも一種類の粒子群が封入された構成である。
【００１３】
粒子群は、予め定めた所定方向に沿って並置された複数の第１の電極と第１の電極と対向して配置された第２の電極との間に画像データに応じた電圧が印加されることにより、基板間に形成された電界に応じて移動する。
【００１４】
このような画像表示媒体では、粒子が表示基板側に移動するような電圧を電圧印加手段によって第１の電極と第２の電極との間に印加することにより粒子の色を表示させることができる。
【００１５】
電圧印加手段は、各画素に所望の色を表示させるために画素毎に印加する表示駆動電圧として、静止状態の粒子を移動開始させることが可能な第１のパルス電圧を印加した後に、移動開始後の粒子を移動させることが可能な第２のパルス電圧を印加する。これにより、静止状態の粒子を十分に移動開始させて駆動することができ、ドット不良等を効果的に防止することができると共に、粒子が移動開始した後は、移動開始後の粒子を移動させることができるだけの電圧を印加すればよいため、効率よく粒子を駆動することができる。
【００１６】
なお、請求項２に記載したように、前記第１のパルス電圧は、静止状態の粒子を移動開始させることが可能な第１のパルス幅の電圧であり、前記第２のパルス電圧は、移動開始後の粒子を移動させることが可能で且つ前記第１のパルス幅よりも短い第２のパルス幅の電圧である構成とすることができる。
【００１７】
また、請求項３に記載したように、前記第１のパルス電圧は、静止状態の粒子を移動開始させることが可能な第１の電圧値の電圧であり、前記第２のパルス電圧は、移動開始後の粒子を移動させることが可能で且つ前記第１の電圧値よりも低い第２の電圧値の電圧である構成としてもよい。
【００１８】
また、請求項４に記載したように、前記電圧印加手段は、前記複数のパルス電圧の最初に前記第１のパルス電圧を印加することが好ましい。これにより、表示切り替え時間を効果的に短縮することができる。
【００１９】
また、請求項５に記載したように、前記電圧印加手段は、前記第１のパルス電圧を交番電圧としてもよい。これにより、静止状態の粒子をより確実に移動開始させることができる。
【００２０】
また、請求項６に記載したように、前記粒子群は、前記背面基板の色と異なる構成とすることができる。
【００２１】
この場合、背面基板の表示基板と対向する側の面に電極を設けた場合には、この電極を透明として背面基板が粒子の色と異なる色としてもよいし、電極上に着色層を設けても良い。
【００２２】
このような画像表示媒体では、粒子が基板間を往復運動しながら隣接する画素の領域に移動させるような交番電圧を第１の電極と第２の電極との間に印加することにより、背面基板の色を表示することが出来る。なお、電圧の印加方法については、例えば特開２００４−８６０９５号公報に記載された方法を用いることができる。
【００２３】
また、請求項７に記載したように、前記粒子群は、色及び帯電特性が異なる複数種類の粒子群である構成としてもよい。これにより、表示色を増やすことができると共に、粒子の駆動性を向上させることができる。
【００２４】
また、請求項８に記載したように、前記複数の第１の電極は、ライン状の複数の走査電極が並置された走査電極群であり、前記第２の電極は、前記走査電極に交差するライン状の複数のデータ電極が並置されたデータ電極群である構成としてもよい。
【発明の効果】
【００２５】
本発明によれば、粒子を十分に駆動することができ、ドット不良等を防ぐことができる、という効果を有する。
【発明を実施するための最良の形態】
【００２６】
以下、図面を参照して本発明の実施形態について詳細に説明する。
【００２７】
図１には、本実施形態に係る画像表示媒体１０の断面図を示した。同図に示すように、画像表示媒体１０は、透明な基板１２上にライン状の複数の透明の走査電極１４、透明の絶縁層１６が形成された表示基板１８と、走査電極１４と直交するように対向して配置されたライン状のデータ電極２０、着色層２２、及び透明の絶縁層２４が基板２６上に形成された背面基板２８と、基板間に封入された正に帯電された黒色粒子３０及び負に帯電された白色粒子３２と、基板間を図２に示すように複数のセル３４に仕切る間隙部材３６と、で構成されている。
【００２８】
着色層２２は、黒色粒子３０及び白色粒子３２とは異なる色に着色された層であり、本実施形態では赤に着色されているものとする。
【００２９】
なお、図１に示す画像表示媒体１０は、図２のＡ−Ａ断面図である。また、図２では、間隙部材３６を明確に図示するために黒で示したが、これに限らず実際は例えば透明な部材等で構成してもよい。
【００３０】
図２に示すように、複数のライン状の走査電極１４は、図２において上下方向（走査方向Ｓ）に並置されると共に、図２において左右方向に並置された複数のライン状のデータ電極２０と直交するように対峙して配置される。各走査電極１４と各データ電極２０との交差位置が画素を構成する。なお、各電極は、例えばＩＴＯ（Ｉｎｄｉｕｍ  Ｔｉｎ  Ｏｘｉｄｅ）電極で構成される。
【００３１】
間隙部材３６は、複数の走査電極１４及び複数のデータ電極２０を含み、セル３４が複数個形成されるようなマス目状の形状とされている。図２では、一例として各セル３４内に走査電極１４が３本、データ電極２０が３本ずつ配置された構成、すなわち１セル当たり３×３画素の構成としているが、これに限られるものではない。
【００３２】
図１、２においては、説明の簡略化のために６行×６列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｍ本の走査電極１４が基板１２上に形成され、ｎ本のデータ電極２０が基板２６上に形成される。
【００３３】
また、本実施の形態では、表示基板側に走査電極１４が、背面基板側にデータ電極２０が設けられた構成としているが、これとは逆に、表示基板側にデータ電極２０が、背面基板側に走査電極１４が形成された構成としてもよい。
【００３４】
また、走査電極１４及びデータ電極２０は、表示基板１８と背面基板２８とが対向する側の面ではなく、これと反対側の面にそれぞれ形成されていてもよく、表示基板１８及び背面基板２８の外側に別個独立にそれぞれ配置されていてもよい。また、電極を画像表示媒体と別個独立に設ける場合には、基板を誘電性を有する部材で構成することにより、基板間に電界を形成させることができる。
【００３５】
また、本実施形態では、黒色粒子３０が正に帯電し、白色粒子３２が負に帯電された構成としているが、黒色粒子３０が負に帯電し、白色粒子３２が正に帯電された構成でもよい。各粒子は、例えば絶縁性粒子や導電性粒子等を用いることができる。
【００３６】
なお、画像表示媒体１０を構成する各部材は、例えば特開２００１−３１２２５号公報に記載されたものを用いることができる。
【００３７】
このような画像表示媒体１０では、少なくとも粒子を移動させることができる電位差を基板間に発生させるのに必要な電圧であって、必要な濃度が確保できる所定電圧（例えば±１４０Ｖ）が走査電極１４とデータ電極２０との電極間に印加されると、その位置の黒色粒子３０及び白色粒子３２が基板間を移動する。例えば、データ電極２０に対して走査電極１４の電位が正となる所定電圧（例えば＋１４０Ｖ）がその電極間に印加された場合には、表示基板１８側の正に帯電した黒色粒子３０は背面基板２８側へ移動すると共に背面基板２８側の負に帯電した白色粒子３２は表示基板１８側へ移動し、白表示される。
【００３８】
一方、データ電極２０に対して走査電極１４の電位が負となる所定電圧（例えば−１４０Ｖ）がその電極間に印加された場合には、表示基板１８側の負に帯電した白色粒子３２は背面基板２８側へ移動すると共に背面基板２８側の正に帯電した黒色粒子３０は表示基板１８側へ移動し、黒表示される。
【００３９】
従って、粒子を移動させるべき画素に対応した位置のデータ電極２０と走査電極１４との間に正又は負の所定電圧を印加することにより、画像に応じて粒子が移動し、画像を表示させることができる。なお、電圧の印加が停止された後も、ファンデルワース力や鏡像力等により黒色粒子３０又は白色粒子３２は表示基板１８又は背面基板２８に付着したままとなり、画像表示は維持される。
【００４０】
本実施形態では、一例として、画像表示媒体１０の濃度特性が図３（Ａ）、（Ｂ）に示すような特性の場合について説明する。すなわち、データ電極２０に対して走査電極１４に印加される電圧を−１４０Ｖ又は１４０Ｖとすることにより、黒色粒子３０又は白色粒子３２が表示基板１８側へ移動して十分な濃度を得ることができると共に、データ電極２０に対して走査電極１４に印加される電圧を−７０Ｖ又は７０Ｖとすることにより、粒子の移動を禁止することができる特性である。なお、同図では、印加電圧のパルス幅が１０ｍｓｅｃ、パルス数が１の場合について示した。
【００４１】
走査電極１４及びデータ電極２０に印加する黒表示用のＯＮ電圧及びＯＦＦ電圧、すなわち黒色粒子３０を表示基板１８側へ移動させる際に各電極に印加する電圧の値については、様々な値を設定することができるが、本実施形態では、図４（Ａ）に示すように、走査電極１４に印加する第１の走査電極用ＯＮ電圧を−７０Ｖに、データ電極２０に印加する第１のデータ電極用ＯＮ電圧を＋７０Ｖに、走査電極１４及びデータ電極２０に印加するＯＦＦ電圧を０Ｖにそれぞれ設定する。
【００４２】
同様に、走査電極１４及びデータ電極２０に印加する白表示用のＯＮ電圧及びＯＦＦ電圧、すなわち白色粒子３２を表示基板１８側へ移動させる際に各電極に印加する電圧の値については、様々な値を設定することができるが、本実施形態では、走査電極１４に印加する第２の走査電極用ＯＮ電圧を、第１の走査電極用ＯＮ電圧と逆極性の＋７０Ｖに、データ電極２０に印加する第２のデータ電極用ＯＮ電圧を、第１のデータ電極用ＯＮ電圧と逆極性の−７０Ｖに、ＯＦＦ電圧は黒表示用のＯＦＦ電圧と同様の０Ｖにそれぞれ設定する。
【００４３】
上記のように黒表示用のＯＮ電圧及びＯＦＦ電圧を設定した場合において、同図（Ｂ）に示すように、走査電極１４及びデータ電極２０の両方に黒表示用のＯＮ電圧が印加された場合、そのデータ電極２０に対する走査電極１４への印加電圧は−１４０Ｖとなり、その画素（画像部）の黒色粒子３０が表示基板１８側へ移動する。
【００４４】
なお、本実施形態では、白黒表示のコントラストを向上させるために、基板間に印加する黒表示用の電圧のパルス数を複数にすると共に、表示切り替え時間を短縮するため、最初に印加するパルス電圧のパルス幅を通常のパルス幅よりも長めのパルス幅、すなわち、静止状態の粒子を十分に移動開始させることができるパルス幅（第１のパルス幅）とし、それ以降に印加するパルス電圧のパルス幅を、移動開始後の粒子を十分に駆動することができるパルス幅（第２のパルス幅）であって最初に印加したパルス電圧のパルス幅よりも短いパルス幅とする。なお、詳細は後述するが、背面基板の赤色を表示する際も、黒表示の場合と同様に、最初に第１のパルス幅のパルス電圧を印加した後、第２のパルス幅のパルス電圧を印加する。
【００４５】
具体的には、走査対象の走査電極１４に対しては、図５（Ａ）に示すように、最初に第１のパルス幅の第１の走査電極用ＯＮ電圧を印加し、その後は第２のパルス幅の第２の走査電極用ＯＮ電圧、第２のパルス幅の第１の走査電極用ＯＮ電圧を交互に数パルス分印加する。なお、最終的に黒色粒子３０が表示基板１８側へ移動するように、最後に印加する電圧は第２のパルス幅の第１の走査電極用ＯＮ電圧である。
【００４６】
一方、黒表示すべき画素に対応するデータ電極２０に対しては、同図（Ｂ）に示すように、最初に第１のパルス幅の第１のデータ電極用ＯＮ電圧を印加し、その後は第２のパルス幅の第２のデータ電極用ＯＮ電圧、第２のパルス幅の第１のデータ電極用ＯＮ電圧を交互に数パルス分印加する。なお、最終的に黒色粒子３０が表示基板１８側へ移動するように、最後に印加する電圧は第２のパルス幅の第１のデータ電極用ＯＮ電圧である。
【００４７】
すなわち、位相が１８０度異なるパルス電圧を走査電極１４及びデータ電極２０に印加する。これにより、同図（Ｃ）に示すように、走査電極１４には、データ電極２０に対して、表示駆動電圧として、最初に第１の走査電極用ＯＮ電圧の２倍の電圧（−１４０Ｖ）が第１のパルス幅で印加され、その後は当該２倍の電圧と第２の走査電極用ＯＮ電圧の２倍の電圧（＋１４０Ｖ）とが交互に第２のパルス幅で数パルス分印加されることとなる。
【００４８】
このように、最初に印加する電圧のパルス幅を静止状態の粒子を十分に移動開始させることができるパルス幅とし、それ以降に印加する電圧のパルス幅を最初に印加した電圧のパルス幅よりも短くすることにより、従来と比較して短時間で粒子を十分に駆動することができ、白黒表示のコントラストを良好にすることができると共に、表示切り替え時間を短縮することができる。
【００４９】
なお、同図では、印加する電圧の波形を矩形としているが、これに限られるものではなく、各パルスは必ずしも連続している必要はない。
【００５０】
また、走査電極１４に第１の走査電極用ＯＮ電圧、データ電極２０にＯＦＦ電圧が印加された場合、そのデータ電極２０に対する走査電極１４への印加電圧は−７０Ｖとなり、その画素（非画像部）の粒子は移動しない。同様に、走査電極１４にＯＦＦ電圧、データ電極２０に第１のデータ電極用ＯＮ電圧が印加された場合、そのデータ電極２０に対する走査電極１４への印加電圧は−７０Ｖとなり、その画素の粒子は移動せず、走査電極１４にＯＦＦ電圧、データ電極２０にＯＦＦ電圧が印加された場合、そのデータ電極２０に対する走査電極１４への印加電圧は０Ｖとなり、その画素の粒子は移動しない。なお、白表示の場合も極性が反転するだけで黒表示の場合と同様である。
【００５１】
また、セル３４内の粒子の配置、すなわち粒子密度を均一化させると共に最終的に白表示とする初期化駆動を行う場合には、走査電極１４とデータ電極２０との間に初期化駆動電圧としての交番電圧を印加する。例えば、第１の走査電極用初期化電圧を１４０Ｖ、第２の走査電極用初期化電圧を０Ｖとして、これらを所定パルス幅で走査電極１４に交互に印加すると共に、これに同期して、第１のデータ電極用初期化電圧を０Ｖ、第２のデータ電極用初期化電圧を１４０Ｖとして、これらを前記所定パルス幅でデータ電極２０に交互に印加する。これにより、走査電極１４とデータ電極２０との間に交番電圧が印加される。
【００５２】
そして、これを所定パルス数分実行し、最後に白表示とするために、走査電極１４に第１の走査電極用初期化電圧を、データ電極２０に第１のデータ電極用初期化電圧を印加する。この際、前記所定パルス幅より長めのパルス幅で印加すると、より濃度が安定した白表示を行うことができるため好ましい。なお、所定パルス数は、粒子の配置を十分に均一化させることができる数に設定される。
【００５３】
また、セル内の所定画素について粒子以外の色、すなわち着色層２２の色を表示させる場合は、走査対象の走査電極１４に対しては、黒表示の場合と同様に、図６（Ａ）に示すように、最初に静止状態の粒子を十分に移動開始させることができる長いパルス幅の第１の走査電極用ＯＮ電圧を印加し、その後は移動開始した粒子を駆動するのに十分な短いパルス幅の第２の走査電極用ＯＮ電圧、第１の走査電極用ＯＮ電圧を交互に数十パルス分印加する。なお、黒表示の場合よりもパルス数を多くする。また、印加する電圧の電圧値を黒表示の場合より高くしてもよい。
【００５４】
一方、赤表示すべき画素に対応するデータ電極２０に対しては、黒表示の場合と同様に、同図（Ｂ）に示すように、最初に長いパルス幅の第１のデータ電極用ＯＮ電圧を印加し、その後は短いパルス幅の第２のデータ電極用ＯＮ電圧、第１のデータ電極用ＯＮ電圧を交互に数パルス分印加する。
【００５５】
これにより、同図（Ｃ）に示すように、走査電極１４には、データ電極２０に対して、表示駆動電圧として、最初に第１の走査電極用ＯＮ電圧の２倍の電圧（−１４０Ｖ）が長いパルス幅で印加され、その後は当該２倍の電圧と第２の走査電極用ＯＮ電圧の２倍の電圧（＋１４０Ｖ）とが交互に短いパルス幅で数パルス分印加されることとなる。
【００５６】
また、所定画素以外の画素に対応する走査電極１４及びデータ電極２０に対しては、ＯＦＦ電圧を印加する。
【００５７】
これにより、所定画素の領域の粒子が基板間を往復運動しながら、隣接するデータ電極との間に形成されたエッジ電界（基板面と平行方向の電界）によってセル内の他の画素の領域へ移動するため着色層２２が露出し、所定画素に赤色が表示される。
【００５８】
また、最初に印加する電圧のパルス幅を静止状態の粒子を十分に移動開始させることができるパルス幅とし、それ以降に印加する電圧のパルス幅を最初に印加した電圧のパルス幅よりも短くすることにより、従来と比較して粒子を十分に駆動することができ、赤表示におけるドット不良を防止することができる。
【００５９】
図７には、画像データに基づいて、画像表示媒体１０に画像を表示するための駆動装置４０の概略構成を示した。
【００６０】
駆動装置４０は、走査電極駆動回路４２、データ電極駆動回路４４、電源回路４６、４８、及び制御装置５０を含んで構成されている。
【００６１】
走査電極駆動回路４２は、各走査電極１４とそれぞれ接続され、電源回路４６から供給される各種の電圧、すなわち第１の走査電極用初期化電圧及び第２の走査電極用初期化電圧、第１の走査電極用ＯＮ電圧及び第２の走査電極用ＯＮ電圧、ＯＦＦ電圧等を、制御装置５０の指示に従って各走査電極１４に各々印加する。
【００６２】
データ電極駆動回路４４は、各データ電極２０とそれぞれ接続され、電源回路４８から供給される各種の電圧、すなわち第１のデータ電極用初期化電圧及び第２のデータ電極用初期化電圧、第１のデータ電極用ＯＮ電圧及び第２のデータ電極用ＯＮ電圧、ＯＦＦ電圧等を、制御装置５０の指示に従って各データ電極２０に各々印加する。
【００６３】
走査電極駆動回路４２は、各走査電極１４とそれぞれ接続され、電源回路４６から供給される各種の電圧を、制御装置５０の指示に従って各走査電極１４に各々印加する。
【００６４】
データ電極駆動回路４４は、各データ電極２０とそれぞれ接続され、電源回路４８から供給される各種の電圧を、制御装置５０の指示に従って各データ電極２０に各々印加する。
【００６５】
制御装置５０には、画像表示媒体１０に表示させるべき画像に応じた画像データが入力される。制御装置５０は、入力された画像データに基づいて、走査対象の走査電極１４の行番号を指定するための行番号指定信号及び印加電圧の種類を指定するための走査電極用電圧指定信号を走査電極駆動回路４２に出力すると共に、その行番号指定信号により指定された走査電極１４に対応するライン画像に基づいて所定の電圧を印加すべきデータ電極２０の列番号を指定するための列番号指定信号及び前記所定の電圧の種類を指定するためのデータ電極用電圧指定信号を、データ電極駆動回路４４に出力する。
【００６６】
走査電極駆動回路４２は、制御装置５０から行電極指定信号によって指定された行の走査電極１４に対して、走査電極用電圧指定信号で指定された種類の電圧を印加すると共に、行番号指定信号によって指定された走査電極１４以外の走査電極１４に対してＯＦＦ電圧を印加する。
【００６７】
データ電極駆動回路４４は、制御装置５０から列番号指定信号によって指定された列のデータ電極２０に対して、データ電極用電圧指定信号で指定された種類の電圧を印加すると共に、列番号指定信号によって指定されたデータ電極２０以外のデータ電極２０に対してＯＦＦ電圧を印加する。
【００６８】
次に、制御装置５０で実行される画像表示駆動の電圧印加シーケンスについて説明する。
【００６９】
まず、制御装置５０は、画像表示媒体１０を初期化する。すなわち、粒子を均一化すると共に全面白表示とするべく、全ての走査電極１４及びデータ電極２０に位相が１８０度異なる所定パルス数のパルス電圧が各々印加されるように、かつ最後に走査電極１４に第１の走査電極用初期化電圧が、データ電極２０に第１のデータ電極用初期化電圧が印加されるよう走査電極駆動回路４２及びデータ電極駆動回路４４に指示する。これにより、基板間の粒子が均一化されて、最後に全ての白色粒子３２が表示基板１８側へ移動すると共に、全ての黒色粒子３０が背面基板２８側に移動し、全面白表示となる。
【００７０】
次に、制御装置５０は、１行目の走査電極１４を指定するための行番号指定信号及び図５（Ａ）に示すような走査電極用パルス電圧を指定するための走査電極用電圧指定信号を走査電極駆動回路４２に出力すると共に、１行目の黒表示すべき画素に対応するデータ電極２０を指定するための列番号指定信号及び図５（Ｂ）に示すようなデータ電極用パルス電圧を指定するためのデータ電極用電圧指定信号をデータ電極駆動回路４４に出力する。
【００７１】
これにより、黒表示すべき画素に対応したデータ電極２０と走査電極１４との間には、図５（Ｃ）に示すような最初はパルス幅が長い電圧が印加され、その後パルス幅が短い交番電圧が印加される。また、これ以外の電極についてはＯＦＦ電圧が印加される。
【００７２】
これにより、１行目に白黒のライン画像が表示される。また、これ以外の電極についてはＯＦＦ電圧が印加される。
【００７３】
そして、２行目以降についても上記と同様の処理を繰り返すことにより、順次白黒のライン画像が表示され、白黒画像を表示させることができる。
【００７４】
次に、制御装置５０は、１行目の走査電極１４を指定するための行番号指定信号及び図６（Ａ）に示すような走査電極用パルス電圧を指定するための走査電極用電圧指定信号を走査電極駆動回路４２に出力すると共に、１行目の赤表示すべき画素に対応するデータ電極２０を指定するための列番号指定信号及び図６（Ｂ）に示すようなデータ電極用パルス電圧を指定するためのデータ電極用電圧指定信号をデータ電極駆動回路４４に出力する。
【００７５】
これにより、赤表示すべき画素に対応したデータ電極２０と走査電極１４との間には、図６（Ｃ）に示すような粒子除去用の交番電圧が印加される。また、これ以外の電極についてはＯＦＦ電圧が印加される。
【００７６】
これにより、赤表示すべき画素に対応したデータ電極２０と走査電極１４との間の粒子は基板間を往復運動しながら他の画素の領域、すなわち白表示又は黒表示の画素の領域へ移動する。このため、着色層２２が露出することにより赤色が表示される。
【００７７】
そして、２行目についても上記と同様の処理を繰り返すことにより、順次ライン画像が表示され、赤、白、黒のカラー画像を表示させることができる。
【００７８】
なお、本実施形態では、黒表示の際に、最初にパルス幅の長い電圧を一度印加した後に、それよりも短いパルス幅の電圧を印加する場合について説明したが、例えば図８（Ａ）〜（Ｃ）に示すように、パルス幅の長い電圧を複数回印加してから、すなわちパルス幅の長い交番電圧を印加してから、パルス幅の短い交番電圧を印加するようにしてもよい。赤表示の場合も同様である。
【００７９】
また、最初に印加する電圧のパルス幅を長くするのではなく、図９（Ａ）〜（Ｃ）に示すように、パルス幅は全て同一で、最初に電圧値の高い電圧、すなわち静止状態の粒子を十分に移動開始させることのできる電圧を一度印加し、その後最初に印加した電圧よりも低い電圧、すなわち移動開始後の粒子を十分に駆動することができる電圧を印加するようにしてもよい。さらに、図１０（Ａ）〜（Ｃ）に示すように、パルス幅は全て同一で、最初に電圧値の高い電圧を複数回印加してから、すなわち電圧値の高い交番電圧を印加してから、その後最初に印加した交番電圧よりも低い交番電圧を印加するようにしてもよい。なお、赤表示の場合も同様である。
【００８０】
さらに、最初にパルス幅が長く且つ高めの電圧を印加し、その後最初に印加した電圧よりもパルス幅が短く且つ低めの電圧を印加するようにしてもよい。
【００８１】
また、最初にパルス幅の長い電圧や高めの電圧を印加する場合に限らず、途中にパルス幅の長い電圧や高めの電圧を印加するようにしてもよい。
【００８２】
また、印加する電圧の周波数を低い周波数から徐々に高い周波数にシフトするようにしてもよい。
【００８３】
また、本実施形態では、全面白表示にした後に、各行毎に黒表示した後に赤表示させるシーケンスとしているが、赤表示後に黒表示させるシーケンスとしてもよい。
【００８４】
また、本実施形態では、黒表示及び赤表示に本発明を適用した場合について説明したが、これに限らず、初期化駆動に本発明を適用することもできる。
【００８５】
また、本実施形態では、電極の配置が単純マトリクス構造の画像表示媒体に画像を表示させる場合について説明したが、例えば電極の配置がアクティブマトリクス構造の画像表示媒体であっても、本発明を適用可能である。
【図面の簡単な説明】
【００８６】
【図１】画像表示媒体の断面図である。
【図２】電極の配置及び間隙部材の形状を示す平面図である。
【図３】（Ａ）は白表示から黒表示するときの濃度特性を示す線図、（Ｂ）は黒表示から白表示するときの濃度特性を示す線図である。
【図４】（Ａ）は各電極に印加するＯＮ電圧及びＯＦＦ電圧について説明するための図、（Ｂ）は、各電極にＯＮ電圧又はＯＦＦ電圧を印加したときの各位置に印加される電圧について説明するための図である。
【図５】黒表示の際に印加される電圧の波形図である。
【図６】赤表示の際に印加される電圧の波形図である。
【図７】画像表示装置の概略構成図である。
【図８】黒表示の際に印加される電圧の他の例における波形図である。
【図９】黒表示の際に印加される電圧の他の例における波形図である。
【図１０】黒表示の際に印加される電圧の他の例における波形図である。
【符号の説明】
【００８７】
１０      画像表示媒体
１２      基板
１４      走査電極（第１の電極）
１６      絶縁層
１８      表示基板
２０      データ電極（第２の電極）
２２      着色層
２４      絶縁層
２６      基板
２８      背面基板
３０      黒色粒子
３２      白色粒子
３４      セル
３６      間隙部材
４０      駆動装置
４２      走査電極駆動回路
４４      データ電極駆動回路
４６      電源回路
４８      電源回路
５０      制御装置
【図１】
2007279320.tif 000003
【図２】
2007279320.tif 000004
【図３】
2007279320.tif 000005
【図４】
2007279320.tif 000006
【図５】
2007279320.tif 000007
【図６】
2007279320.tif 000008
【図７】
2007279320.tif 000009
【図８】
2007279320.tif 000010
【図９】
2007279320.tif 000011
【図１０】
2007279320.tif 000012